(57)【要約】【課題】高温度下における窓部材の反りや変形を抑えつつ、外装部材に対して窓部材を隙間なく組み付けることができる電子機器を提供する。【解決手段】保護窓１０２は、中間部材１０３の開口部１０３ａに組み付けられる際、そのフランジ部１０２ａに貼り付けられた両面テープ１３１によって中間部材１０３に固定される。中間部材１０３は、背面カバー１０１に組み付けられる際、背面カバー１０１の開口部１０１ａに位置決めされた後、接着剤によって強固に固定される。高温度下において、中間部材１０３は、保護窓１０２に近い熱膨張率を有するので、保護窓１０２とほぼ同じ量だけ熱膨張を行う。背面カバー１０１は、金属材料で成形されているので、保護窓１０２に比べて小さい熱膨張率を有し、その変形量は少ない。中間部材１０３は、保護窓１０２と背面カバー１０１の熱膨張量の違いを弾性変形することで吸収する。【選択図】図７
2011186217.tif 000002
【特許請求の範囲】
【請求項１】
電子機器であって、
透明な材料で成形された窓部材と、
前記窓部材が組み付けられる開口部が形成された外装部材と、
前記開口部に組み付けられた前記窓部材を保持し、前記外装部材に固定される中間部材とを有し、
前記中間部材は、前記外装部材より前記窓部材に近い熱膨張率を有する材料で成形されたことを特徴とする電子機器。
【請求項２】
前記中間部材は、枠状に形成され、前記外装部材の前記開口部の周縁と前記窓部材の周縁部を連結することを特徴とする請求項１記載の電子機器。
【請求項３】
前記中間部材は、前記窓部材が熱膨張により伸びる方向に弾性変形自在であることを特徴とする請求項１記載の電子機器。
【請求項４】
前記窓部材は、透明な樹脂材料で成形され、前記電子機器の内部に設けられた表示部を保護し、
前記外装部材は金属材料で形成されることを特徴とする請求項１記載の電子機器。
【請求項５】
前記中間部材を前記電子機器の内側から支持する補強部材が当該電子機器の内部に設けられたことを特徴とする請求項１または４記載の電子機器。
【請求項６】
前記窓部材の周縁部に前記中間部材が固定された部位は、前記外装部材の前記開口部の周縁に前記中間部材が固定された部位に対し、前記電子機器の外側に高い段差を有することを特徴とする請求項２記載の電子機器。
【請求項７】
前記中間部材は、前記電子機器の外側に突出した凸形状を有することを特徴とする請求項６記載の電子機器。
【請求項８】
前記電子機器は撮像装置であり、
前記中間部材は、使用者が撮影時に前記撮像装置の筐体を握った際、親指が触れると想定される位置に設けられたことを特徴とする請求項６または７記載の電子機器。
【発明の詳細な説明】
【技術分野】
【０００１】
本発明は、電子機器に関する。
【背景技術】
【０００２】
近年、デジタルカメラにおいては、動画機能等の追加による高機能化や本体サイズのコンパクト化がますます進んだことで、カメラ本体の発熱量が多くなってきている。
【０００３】
また、従来のデジタルカメラ等の液晶表示部では、本体内の液晶パネルを保護するために、透明な樹脂材料等で構成された窓部材が保護窓としてその外観面に用いられる。
【０００４】
この保護窓の保持方法に関し、特許文献１に記載の液晶保護板が知られている。すなわち、この液晶保護板では、液晶表示部に対応した位置に設けられた金属外装の開口部に、保護窓の外形を嵌合させることで、保護窓が位置決めされて保持される。また、この保護窓は、液晶の保護部の他に、ファインダのレンズ、ストロボのプリズム、ＬＥＤ受光部等の形状にも合わせて成形されており、１部品でこれらの保護部材を兼ね備える。
【先行技術文献】
【特許文献】
【０００５】
【特許文献１】特開２００７−２０６１５８号公報
【発明の概要】
【発明が解決しようとする課題】
【０００６】
しかしながら、従来の技術として、特許文献１に記載の液晶保護板には、保護窓を固定する外装が金属材料で成形される場合、つぎのような問題があった。すなわち、樹脂と金属の熱膨張率の違いから、高温度下における保護窓の膨張量に対して金属外装の膨張量が少ないために、これらの隙間がなくなり、保護窓に反りや変形等が生じてしまうおそれがあった。
【０００７】
また、金属外装のカメラでは、カメラ本体が発熱した場合、使用者がカメラ本体を握った際に指が金属外装に触れると、金属の熱伝導率が高いためにカメラ本体の熱が手に伝わって違和感を覚えることがあった。
【０００８】
そこで、本発明は、上記従来の課題に鑑みてなされたものであり、高温度下における窓部材の反りや変形を抑えつつ、外装部材に対して窓部材を隙間なく組み付けることができる電子機器を提供することを目的とする。また、本発明は、使用者が撮影時に撮像装置の筐体を握った際、筐体の内部の熱を使用者の握った手に伝えにくくすることができる電子機器を提供することを他の目的とする。
【課題を解決するための手段】
【０００９】
上記目的を達成するために、本発明の電子機器は、透明な材料で成形された窓部材と、前記窓部材が組み付けられる開口部が形成された外装部材と、前記開口部に組み付けられた前記窓部材を保持し、前記外装部材に固定される中間部材とを有し、前記中間部材は、前記外装部材より前記窓部材に近い熱膨張率を有する材料で成形されたことを特徴とする。
【発明の効果】
【００１０】
本発明の電子機器によれば、中間部材は外装部材より窓部材に近い熱膨張率を有するので、高温度下における窓部材の反りや変形を抑えつつ、外装部材に対して窓部材を隙間なく組み付けることができる。従って、撮像装置に適用された場合、発熱が生じやすい、動画機能を追加する等の高機能化やコンパクト化が図られる。
【図面の簡単な説明】
【００１１】
【図１】実施の形態におけるデジタルカメラの正面および背面を示す図である。
【図２】デジタルカメラの右側面および左側面を示す図である。
【図３】デジタルカメラの平面および底面を示す図である。
【図４】デジタルカメラ１００の電気的構成を示すブロック図である。
【図５】デジタルカメラ１００の背面カバーユニットの構成を示す斜視図である。
【図６】背面カバーユニットの組み付け手順を示す図である。
【図７】熱膨張時における背面カバーユニットの変形を示す図である。
【図８】液晶パネル１１７の外観を示す斜視図である。
【図９】液晶パネル１１７、中間部材１０３、メインフレーム１１９および補強板金１１８の配置関係を示す部分断面図である。
【図１０】使用者がカメラ本体を握って撮影する際に指が触れると想定される位置が表されたデジタルカメラ１００の背面および底面を示す図である。
【発明を実施するための形態】
【００１２】
本発明の電子機器の実施の形態について図面を参照しながら説明する。本実施形態の電子機器は、撮像装置としてのデジタルカメラに適用される。
【００１３】
図１は実施の形態におけるデジタルカメラの正面および背面を示す図である。図２はデジタルカメラの右側面および左側面を示す図である。図３はデジタルカメラの平面および底面を示す図である。
【００１４】
デジタルカメラ１００は、その前面に、撮影光学系を構成する鏡筒１０４、および金属材料で成形され、前面カバーユニットとしてカメラ本体前面を覆う前カバー１０５を有する（図１（ａ）参照）。また、前カバー１０５には、ストロボ１０６およびＡＦ補助光窓１０７が配置される。
【００１５】
また、デジタルカメラ１００は、その背面に、カメラ本体背面を覆う背面カバー１０１（外装部材）を有する（図１（ｂ）参照）。背面カバー１０１には、液晶パネル１１７を保護する保護窓１０２（窓部材）、この保護窓１０２を保持し、背面カバー１０１に固定される中間部材１０３、および操作ボタン群１０８が配置される。背面カバーユニットは、背面カバー１０１、保護窓１０２および中間部材１０３から構成される。
【００１６】
操作ボタン群１０８は、中央のボタンと周囲のボタンとから構成され、撮影時や画像再生時に各種設定を行うために使用される。中央のボタンは、その中心にあるＳＥＴキーおよびその周りにある４つの方向キーからなる。また、周囲のボタンには、メニューボタンが含まれる。
【００１７】
また、デジタルカメラ１００の左側面には、各種の外部デバイスに接続されるために、プリント基板上に実装された端子類を保護するコネクタカバー１０９が設けられている（図２（ｂ）参照）。本実施形態では、テレビ受信機等の外部映像デバイスに接続されるアナログビデオ端子、外部直流電源に接続される電源端子、およびＰＣ等に接続されるデジタル端子のうち、少なくとも１つが備わっている。また、デジタルカメラ１００の左側面には、ストラップを通すための孔が形成されたストラップベース１１０が設けられている。
【００１８】
また、デジタルカメラ１００の上面には、レリーズボタン（シャッタボタン）１１１、ズームレバー１１２、パワーボタン（電源スイッチ）１１３およびモードダイヤル（モード切替スイッチ）１１４が配置されている（図３（ａ）参照）。レリーズボタン１１１は、撮影準備および撮影開始機能を備えた操作部材である。ズームレバー１１２は、光学式変倍機能あるいはデジタル式変倍機能において、その倍率を調節する際に操作され、レリーズボタン１１１を中心に所定の角度まで回動可能である。パワーボタン１１３は、カメラ本体の電源のＯＮ／ＯＦＦを行う。モードダイヤル１１４は各種撮影モードを選択する。
【００１９】
また、デジタルカメラ１００の底面には、カメラ本体に対してスライドおよび開閉動作可能な電池蓋１１５、およびカメラ本体を三脚台に固定するための三脚穴１１６が設けられている（図３（ｂ）参照）。
【００２０】
このように、デジタルカメラ１００の筐体は、前カバー１０５からなる前面カバーユニットと、背面カバー１０１、保護窓１０２および中間部材１０３からなる背面カバーユニットとから構成される。
【００２１】
図４はデジタルカメラ１００の電気的構成を示すブロック図である。デジタルカメラ１００には、撮影レンズ２、絞り機能を備えるシャッタ１、および光学像を電気信号に変換するＣＣＤやＣＭＯＳ素子等で構成される撮像部２２が設けられている。
【００２２】
Ａ／Ｄ変換器２３は、アナログ信号をデジタル信号に変換するものであり、撮像部２２から出力されるアナログ信号をデジタル信号に変換する場合に用いられる。また、Ａ／Ｄ変換器２３は、音声制御部１１から出力されるアナログ信号をデジタル信号に変換する場合にも用いられる。
【００２３】
バリア３は、撮影レンズ２を含む撮像系を覆うことで、撮像系の汚れや破損を防止する。
【００２４】
タイミング発生部１２は、撮像部２２、音声制御部１１、Ａ／Ｄ変換器２３およびＤ／Ａ変換器１３にクロック信号や制御信号を供給するものであり、メモリ制御部１５およびシステム制御部５０により制御される。
【００２５】
画像処理部２４は、Ａ／Ｄ変換器２３からのデータまたはメモリ制御部１５からのデータに対し、所定の画素補間、縮小などのリサイズ処理や色変換処理を行う。また、画像処理部２４は、撮像した画像データを用いて所定の演算処理を行う。
【００２６】
システム制御部５０は、画像処理部２４によって得られた演算結果に基づき、露光制御や測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。
【００２７】
さらに、画像処理部２４は、撮像した画像データを用いて所定の演算処理を行う。この画像処理部２４によって得られた演算結果に基づき、ＴＴＬ方式のＡＷＢ（オートホワイトバランス）処理も行われる。
【００２８】
Ａ／Ｄ変換器２３から出力されたデータは、画像処理部２４およびメモリ制御部１５を介して、あるいは直接メモリ制御部１５を介して、メモリ３２に書き込まれる。
【００２９】
メモリ３２は、マイク１０で録音された音声データ、撮影した静止画像や動画像、および画像ファイルを構成する際のファイルヘッダを格納するメモリである。このメモリ３２は、所定枚数の静止画像や所定時間の動画像および音声を格納するために、十分な記憶容量を備えている。
【００３０】
圧縮伸張部１６は、適応離散コサイン変換（ＡＤＣＴ）等により画像データを圧縮・伸張するものであり、シャッタ１をトリガにしてメモリ３２に格納された撮影画像を読み込んで圧縮処理を行い、この圧縮処理を終えたデータをメモリ３２に書き込む。
【００３１】
また、圧縮伸張部１６は、記録部１９などからメモリ３２に読み込まれた圧縮画像を読み込んで伸張処理を行い、この伸張処理を終えたデータをメモリ３２に書き込む。圧縮伸張部１６によりメモリ３２に書き込まれた画像データは、システム制御部５０内のファイル部においてファイル化され、インターフェース１８を介して記録媒体２００に記録される。
【００３２】
また、メモリ３２は、画像表示用のメモリを兼ねている。液晶パネル（画像表示部）１１７はＬＣＤ等からなる。メモリ３２に書き込まれた表示用の画像データは、Ｄ／Ａ変換器１３を介して画像表示部１１７により表示される。
【００３３】
マイク１０から出力された音声信号は、アンプ等で構成される音声制御部１１を介してＡ／Ｄ変換器２３によってデジタル信号に変換された後、メモリ制御部１５によってメモリ３２に格納される。一方、記録媒体２００に記録されている音声データは、メモリ３２に読み込まれた後、Ｄ／Ａ変換器１３を介して音声制御部１１によって制御され、その信号はスピーカ１４によって発音される。
【００３４】
不揮発性メモリ５６は電気的に消去・記録可能なメモリである。不揮発性メモリ５６として、例えばＥＥＰＲＯＭ等が用いられる。不揮発性メモリ５６は、システム制御部５０の動作用の定数、プログラム等を記録する。
【００３５】
システム制御部５０は、デジタルカメラ１００全体を制御する。システムメモリ５２は、システム制御部５０の動作用の定数、変数、不揮発性メモリ５６から読み出したプログラム等を展開する。
【００３６】
第１シャッタスイッチＳＷ１、第２シャッタスイッチＳＷ２および操作部７０は、システム制御部５０に各種の動作指示を入力する。なお、操作部７０は操作ボタン群１０８を有する。
【００３７】
モード切替スイッチ１１４は、システム制御部５０の動作モードを、静止画モード、動画記録モード、再生モード等に切り替えることができる。
【００３８】
第１シャッタスイッチＳＷ１は、デジタルカメラ１００に設けられたシャッタボタン１１１の操作途中（半押し）でＯＮとなり、ＡＦ処理、ＡＥ処理、ＡＷＢ（オートホワイトバランス）処理、ＥＦ（フラッシュプリ発光）処理等の動作開始を指示する。
【００３９】
第２シャッタスイッチＳＷ２は、シャッタボタン１１１の操作完了（全押し）でＯＮとなり、撮像部２２の信号読み出しから記録媒体２００に画像データを書き込むまでの一連の撮像処理の動作開始を指示する。
【００４０】
操作部７０の各操作部材には、前述した操作ボタン群１０８の他、液晶パネル（画像表示部）１１７に表示される種々の機能アイコンが含まれる。使用者は、これらの機能アイコンを選択して操作することにより、場面ごとに機能アイコンには適宜機能が割り当てられる。そして、これらの機能アイコンは、各種機能ボタンとして作用する。機能ボタンとしては、終了ボタン、戻るボタン、画像送りボタン、ジャンプボタン、絞込みボタン、属性変更ボタン等が挙げられる。
【００４１】
例えば、メニューボタンが押されると、各種設定が可能なメニュー画面が液晶パネル１１７に表示される。利用者は、液晶パネル１１７に表示されたメニュー画面、４つの方向キーやＳＥＴボタンを用いて、直感的に各種設定を行うことができる。
【００４２】
電源スイッチ１１３は、電源オンまたは電源オフに切り替える。電源制御部３９は、電池検出回路、ＤＣ−ＤＣコンバータ、通電するブロックを切り替えるスイッチ回路等から構成され、電池の装着の有無、電池の種類、電池残量の検出を行う。また、電源制御部３９は、これらの検出結果およびシステム制御部５０の指示に従って、ＤＣ−ＤＣコンバータを制御し、必要な電圧を必要な期間、記録媒体２００を含む各部に供給する。
【００４３】
電源部３０は、アルカリ電池やリチウム電池等の一次電池、ＮｉＣｄ電池やＮｉＭＨ電池、Ｌｉ電池等の二次電池、ＡＣアダプタ等からなる。コネクタ３３、３４は、電源部３０と電源制御部３９とを接続する。
【００４４】
リアルタイムクロック（ＲＴＣ：Real Time Clock） ４０は、電源制御部３９とは別に内部に電源部を保持し、電源部３０がＯＦＦの状態であっても、時計動作状態を続ける。システム制御部５０は、起動時にＲＴＣ４０から取得した日時を用いてタイマ制御を行う。
【００４５】
インターフェース１８は、メモリカードやハードディスク等の記録媒体２００とのインターフェースである。コネクタ３５は、記録媒体２００とインターフェース１８との接続を行う。記録媒体着脱検知部９８は、コネクタ３５に記録媒体２００が装着されているか否かを検知する。
【００４６】
記録媒体２００はメモリカードやハードディスク等の記録媒体である。記録媒体２００は、半導体メモリや磁気ディスク等から構成される記録部１９、デジタルカメラ１００とのインターフェース３７、および記録媒体２００とデジタルカメラ１００とを接続するためのコネクタ３６を備える。
【００４７】
通信部２１は、ＲＳ２３２ＣやＵＳＢ、ＩＥＥＥ１３９４、Ｐ１２８４、ＳＣＳＩ、モデム、ＬＡＮ、無線通信等の各種通信処理を行う。コネクタ１７は、通信部２１を介してデジタルカメラ１００を他の機器と接続する。なお、無線通信の場合、コネクタ１７には、アンテナが用いられる。
【００４８】
図５はデジタルカメラ１００の背面カバーユニットの構成を示す斜視図である。背面カバー１０１はアルミニウムやＳＵＳ等の金属材料で成形される。保護窓１０２は透明な樹脂材料で成形される。また、中間部材１０３は、モールド成形により樹脂材料で成形され、保護窓１０２を保持した状態で背面カバー１０１の開口部１０１ａに位置決めされ（図６（ｂ）参照）、その開口部１０１ａの周縁に固定される。このとき、保護窓１０２は、中間部材１０３の開口部１０３ａに、保護窓１０２の表示部分の外形を隙間なく嵌合させることで位置決めされる（図６（ａ）参照）。そして、保護窓１０２は、フランジ部１０２ａ（周縁部）に貼り付けられた接着部材である両面テープ１３１によって中間部材１０３に保持される（図７（ｂ）参照）。このように、中間部材１０３は、背面カバー１０１の開口部１０１ａの周縁と保護窓１０２のフランジ部１０２ａを連結する。
【００４９】
また、図７（ｂ）に示すように、保護窓１０２のフランジ部１０２ａに中間部材１０３が固定された部位は、背面カバー１０１の開口部１０１ａの周縁に中間部材１０３が固定された部位に対し、筐体の外側に高い段差を有する。また、中間部材１０３は、背面カバー１０１に対し、筐体の外側に突出した凸形状を有する。
【００５０】
つぎに、背面カバー１０１に保護窓１０２を組み付ける手順を示す。図６は背面カバーユニットの組み付け手順を示す図である。同図（ａ）は保護窓１０２を中間部材１０３に組み付ける様子を示す。同図（ｂ）は中間部材１０３を背面カバー１０１に組み付ける様子を示す。同図（ｃ）は背面カバー１０１に中間部材１０３および保護窓１０２を組み付けて背面カバーユニットとした状態を示す。図６（ａ）に示すように、保護窓１０２は中間部材１０３の開口部１０３ａに対して図中矢印ａの方向に組み付けられる。そして、保護窓１０２の表示部の外形が中間部材１０３の開口部１０３ａに隙間なく嵌合されることで、保護窓１０２の位置決めが行われる。さらに、保護窓１０２は、そのフランジ部１０２ａ（周縁部）に貼り付けられた両面テープ１３１によって中間部材１０３に固定される。
【００５１】
保護窓１０２を保持している中間部材１０３は、背面カバー１０１に対し、図中矢印ｂの方向に組み付けられ、中間部材１０３の外形が背面カバー１０１の開口部１０１ａに位置決めされた後、ボンド等の接着剤によって強固に固定される。このようにして、保護窓１０２は中間部材１０３を介して背面カバー１０１に組み付けられ、背面カバーユニットが構成される（図６（ｃ）参照）。
【００５２】
つぎに、背面カバーユニットの熱膨張時の変形について説明する。図７は熱膨張時における背面カバーユニットの変形を示す図である。同図（ａ）は背面カバーユニットの一部を示す。同図（ｂ）は同図（ａ）の矢印Ｅ−Ｅ線方向から視た部分の断面を示す。
【００５３】
中間部材１０３に保持された保護窓１０２は、高温度下における熱膨張により、図中矢印ｃの方向に伸びる。また、中間部材１０３は、保護窓１０２に近い熱膨張率の樹脂材料で成形されているので、ほぼ同じ量だけ熱膨張を行う。
【００５４】
一方、中間部材１０３が固定されている背面カバー１０１は、アルミニウム、ＳＵＳ等の金属材料で成形されているので、保護窓１０２に比べ、その熱膨張率が小さい。このため、熱膨張による背面カバー１０１の変形量は少ない。
【００５５】
この保護窓１０２と背面カバー１０１の熱膨張量の違いを吸収するために、中間部材１０３の一部は、図中矢印ｄの方向に変形するように構成されている。つまり、中間部材１０３は保護窓１０２が熱膨張により伸びる方向に弾性変形自在である。
【００５６】
このように、金属外装である背面カバー１０１に樹脂材料の保護窓１０２を隙間なく組み付ける場合、中間部材１０３が変形し、これらの熱膨張による変形量の差を吸収することで、高温度下における熱膨張による保護窓１０２の反りや変形が抑えられる。
【００５７】
つぎに、保護窓１０２に外力が加わった際における液晶パネルの破損防止について説明する。図８は液晶パネル１１７の外観を示す斜視図である。液晶パネル１１７は、カメラ本体の枠組を構成するメインフレーム１１９に締結した状態で固定されている。メインフレーム１１９は板金で成形される。
【００５８】
また、液晶パネル１１７の端部を「コ」の字に覆うように形成された、補強板金１１８（補強部材）が筐体の内部に配置されている（図９参照）。補強板金１１８は、液晶パネル１１７の厚み方向において、メインフレーム１１９に突き当てられるように保持されている。なお、補強板金１１８は、液晶パネル１１７が固定されたメインフレーム１１９に取り外し自在に保持されてもよいし、固着した状態で保持されてもよい。
【００５９】
補強板金１１８は、筐体への外力に対し、中間部材１０３を筐体の内側から支持するものであり、中間部材１０３に沿うように、液晶パネル１１７の両側に設けられている（図８参照）。なお、補強板金は、枠状に形成された中間部材１０３に沿うように、液晶パネル１１７の周囲に設けられてもよい。
【００６０】
図９は液晶パネル１１７、中間部材１０３、メインフレーム１１９および補強板金１１８の配置関係を示す部分断面図である。補強板金１１８は、前述したように、液晶パネル１１７と中間部材１０３との間に挟まれ、メインフレーム１１９に突き当てられている。従って、カメラ背面、つまり保護窓１０２や背面カバー１０１に加わる筐体の厚み方向への外力を補強板金１１８が受けることにより、カメラの筐体の強度を確保することができる。
【００６１】
従来のように、保護窓を金属外装に直接固定する構成に比べ、本実施形態のように、樹脂部材である中間部材を介して保護窓を金属外装に固定する構成の場合、つぎのような効果がある。すなわち、背面カバーユニットとして見た場合、保護窓１０２や背面カバー１０１に加わる外力に対して変形を防止するための強度は弱くなるが、補強板金１１８を設けることで、カメラ本体への外力に対して十分な強度を得ることができる。従って、液晶パネル１１７の破損を防止することが可能となる。
【００６２】
図１０は使用者がカメラ本体を握って撮影する際に指が触れると想定される位置が表されたデジタルカメラ１００の背面および底面を示す図である。同図（ａ）はデジタルカメラ１００の背面を示し、同図（ｂ）はデジタルカメラ１００の底面を示す。使用者がカメラ本体を握って撮影する際、図中の点線枠Ｉ、Ｊの位置に親指がくると想定される。この際、親指が触れる部位は、背面カバー１０１よりも厚み方向において凸形状を成す中間部材１０３の表面部位である。
【００６３】
中間部材１０３は樹脂で成形されているので、その熱伝導率が小さい。このため、使用者は、中間部材１０３に触れても、カメラ本体の発熱を感じにくく、違和感を生じない。
【００６４】
このように、本実施形態のデジタルカメラによれば、液晶パネル１１７を保護する保護窓１０２は、樹脂製の中間部材１０３を介して金属製の背面カバー１０１に固定される。そして、高温度下における保護窓１０２の熱膨張量と背面カバー１０１の熱膨張量との差は、中間部材１０３の弾性変形によって吸収される。これにより、保護窓１０２の反りや変形を防ぎつつ、背面カバー１０１に対して保護窓１０２を隙間なく組み付けることが可能となる。さらに、枠状に形成された中間部材が背面カバー１０１の開口部１０１ａの周縁と保護窓１０２の周縁部１０２ａを連結するので、背面カバー１０１に対して保護窓１０２を強固に隙間なく組み付けることができる。
【００６５】
また、カメラ筐体の厚み方向において、背面カバー１０１よりも中間部材１０３が凸形状をなすように形成されることで、使用者が撮影時にカメラ本体を握った際、親指が触れる部位にカメラ本体の熱が伝わりにくくなる。これにより、使用者に違和感を生じさせない。
【００６６】
従って、カメラ本体に発熱が生じやすい、デジタルカメラに動画機能を追加する等の高機能化や、デジタルカメラのコンパクト化が図られる。
【００６７】
また、筐体の内部に設けられた液晶パネル１１７を視認可能に保護することができる。また、筐体の内側に加わる外力を補強板金１１８が受けることにより、筐体の強度を確保することができる。従って、筐体の内部に設けられた液晶パネル１１７の破損を防止することが可能となる。
【００６８】
なお、本発明は、上記実施形態の構成に限られるものではなく、特許請求の範囲で示した機能、または本実施形態の構成が持つ機能が達成できる構成であればどのようなものであっても適用可能である。
【００６９】
例えば、上記実施形態では、中間部材の熱膨張率は、保護窓の熱膨張率とほぼ同じ値であったが、このような値に限らず、金属外装より保護窓に近い熱膨張率の値であればよい。さらには、中間部材の熱膨張率が金属外装と保護窓の間にある熱膨張率の値であってもよく、高温度下における保護窓の反りや変形を少しでも抑える効果が期待される。
【００７０】
また、上記実施形態では、保護窓の熱膨張率が金属外装の熱膨張率に比べて大きい場合について説明したが、保護窓の熱膨張率が金属外装の熱膨張率に比べて小さい材料で保護窓が成形された場合でも、本発明は同様に適用可能である。
【００７１】
また、上記実施形態では、中間部材は、額縁のような四角形の枠状に形成されたが、三角形や丸形などの枠状に形成されてもよく、種々の形状を有する保護窓に対応させることが可能である。
【００７２】
また、上記実施形態では、図７（ｂ）に示すように、保護窓は、背面カバーに対し、筐体外側の高い位置に設けられていたが、背面カバーと同一あるいはそれより低い位置に設けられてもよい。この場合、中間部材はより突出した凸形状をなすことになる。
【００７３】
また、筐体の内部に設けられる表示装置としては、液晶ディスプレイに限らず、有機ＥＬディスプレイ、表面電界ディスプレイ（ＳＥＤ）、プラズマディスプレイなどを用いてもよい。また、バックライト方式のＬＣＤパネルを用いているが、有機ＥＬディスプレイなどの自発光型の表示装置を用いてもよい。
【００７４】
また、上記実施形態では、コンパクトタイプのデジタルカメラを例に説明したが、本発明は、デジタルビデオカメラ、デジタルＳＬＲ（一眼レフカメラ）等にも適用可能である。
【００７５】
また、上記実施形態では、電子機器として撮像装置に適用された場合を示したが、これに限らず、種々の装置に適用可能である。例えば、本発明は、タッチパネルを有するパーソナルコンピュータやＰＤＡなどの機器に適用されてもよい。さらに、携帯電話端末、ディスプレイを有するプリンタ、デジタルフォトフレームなどの装置にも、本発明は適用可能である。
【符号の説明】
【００７６】
１００  デジタルカメラ
１０１  背面カバー
１０２  保護窓
１０３  中間部材
１１７  液晶パネル
１１８  補強板金
【図１】
2011186217.tif 000003
【図２】
2011186217.tif 000004
【図３】
2011186217.tif 000005
【図４】
2011186217.tif 000006
【図５】
2011186217.tif 000007
【図６】
2011186217.tif 000008
【図７】
2011186217.tif 000009
【図８】
2011186217.tif 000010
【図９】
2011186217.tif 000011
【図１０】
2011186217.tif 000012